【手続補正書】
【提出日】平成22年7月22日(2010.7.22)
【手続補正１】
【補正対象書類名】特許請求の範囲
【補正対象項目名】全文
【補正方法】変更
【補正の内容】
【特許請求の範囲】
【請求項１】
車両に設けられ、その車両の運転者の呼気に含まれるアルコールを検出するためのアルコール検出装置において、
前記アルコールを吸着するための吸着層がその表面に形成され、当該吸着層へのアルコールの吸着により固有振動数が変化する検出用の振動領域と、この検出用の振動領域とは異なる領域に設けられ、前記アルコールが吸着されない基準用の振動領域と、を備えた第１の水晶振動子と、
前記第１の水晶振動子の検出用の振動領域及び基準用の振動領域を各々独立して発振させるための発振手段と、
前記第１の水晶振動子における検出用の振動領域の発振出力に対応する周波数と前記第１の水晶振動子における基準用の振動領域の発振出力に対応する周波数とに基づいてこれらの周波数の差分値の時系列データを作成する手段と、
前記時系列データに含まれる脈流部分をノイズとみなして除去して検証用のデータを作成する手段と、
前記車両のキーの位置を検出する位置検出手段と、
前記位置検出手段により検出されたキーの位置に応じて、前記発振手段の起動及び動作の停止を制御する制御手段と、
を備えたことを特徴とするアルコール検出装置。
【請求項２】
車両に設けられ、その車両の運転者の呼気に含まれるアルコールを検出するためのアルコール検出装置において、
前記アルコールを吸着するための吸着層がその表面に形成され、当該吸着層へのアルコールの吸着により固有振動数が変化する検出用の振動領域と、この検出用の振動領域とは異なる領域に設けられ、前記アルコールが吸着されない基準用の振動領域と、を備えた第１の水晶振動子と、
前記第１の水晶振動子の検出用の振動領域及び基準用の振動領域を各々独立して発振させるための発振手段と、
前記検出用の振動領域の発振出力に対応する周波数の時系列データを作成する手段と、
前記基準用の振動領域の発振出力に対応する周波数の時系列データを作成する手段と、
これら各時系列データに含まれる脈流部分をノイズと見なして除去するための手段と、
前記脈流部分を除去した後の各時系列データの差分値の時系列データである検証用のデータを作成する手段と、
前記車両のキーの位置を検出する位置検出手段と、
前記位置検出手段により検出されたキーの位置に応じて、前記発振手段の起動及び動作の停止を制御する制御手段と、
を備えたことを特徴とするアルコール検出装置。
【請求項３】
運転者以外の搭乗者の呼気に含まれるアルコールを吸着するための吸着層がその表面に形成され、当該吸着層へのアルコールの吸着により固有振動数が変化する検出用の振動領域と、この検出用の振動領域とは異なる領域に設けられ、前記アルコールが吸着されない基準用の振動領域と、を備えた第２の水晶振動子と、
前記第２の水晶振動子の検出用の振動領域及び基準用の振動領域を各々独立して発振させるための発振手段と、
前記第２の水晶振動子における検出用の振動領域の発振出力に対応する周波数と前記第２の水晶振動子における基準用の振動領域の発振出力に対応する周波数とに基づいてこれらの周波数の差分値の時系列データを作成する手段と、前記時系列データに含まれる脈流部分をノイズと見なして除去するための手段とを含む比較用のデータ作成手段と、
前記比較用のデータと前記検証用のデータとに基づいてアルコールを検出する検出手段と、
を備えたことを特徴とする請求項１または２に記載のアルコール検出装置。
【請求項４】
運転者以外の搭乗者の呼気に含まれるアルコールを吸着するための吸着層がその表面に形成され、当該吸着層へのアルコールの吸着により固有振動数が変化する検出用の振動領域と、この検出用の振動領域とは異なる領域に設けられ、前記アルコールが吸着されない基準用の振動領域と、を備えた第２の水晶振動子と、
前記第２の水晶振動子の検出用の振動領域及び基準用の振動領域を各々独立して発振させるための発振手段と、
前記第２の水晶振動子における前記検出用の振動領域の発振出力に対応する周波数の時系列データを作成する手段と、
前記第２の水晶振動子における前記検出用の振動領域の発振出力に対応する周波数の時系列データを作成する手段と、
前記第２の水晶振動子における前記基準用の振動領域の発振出力に対応する周波数の時系列データを作成する手段と、
これら各時系列データに含まれる脈流部分をノイズと見なして除去するための手段と、
前記脈流部分を除去した後の各時系列データの差分値の時系列データである比較用のデータを作成する手段と、
前記比較用のデータと前記検証用のデータとに基づいてアルコールを検出する検出手段と、
を備えたことを特徴とする請求項１ないし３のいずれか一つに記載のアルコール検出装置。
【請求項５】
脈流部分の除去は時系列データに対して移動平均をとることにより行われることを特徴とする請求項１ないし４のいずれか一つに記載のアルコール検出装置。
【請求項６】
運転者の呼気に含まれるアルコールを検出するためのアルコール検出装置を備えた車両において、
請求項１ないし５のいずれか一つに記載のアルコール検出装置と
前記検出手段の検出結果に基づいて、前記運転者の操作による車両の走行を制限するための制御部と、
を備えたことを特徴とする車両。
【手続補正２】
【補正対象書類名】明細書
【補正対象項目名】０００９
【補正方法】変更
【補正の内容】
【０００９】
本発明のアルコール検出装置は、車両に設けられ、その車両の運転者の呼気に含まれるアルコールを検出するためのアルコール検出装置において、
前記アルコールを吸着するための吸着層がその表面に形成され、当該吸着層へのアルコールの吸着により固有振動数が変化する検出用の振動領域と、この検出用の振動領域とは異なる領域に設けられ、前記アルコールが吸着されない基準用の振動領域と、を備えた第１の水晶振動子と、
前記第１の水晶振動子の検出用の振動領域及び基準用の振動領域を各々独立して発振させるための発振手段と、
前記第１の水晶振動子における検出用の振動領域の発振出力に対応する周波数と前記第１の水晶振動子における基準用の振動領域の発振出力に対応する周波数とに基づいてこれらの周波数の差分値の時系列データを作成する手段と、
前記時系列データに含まれる脈流部分をノイズとみなして除去し、検証用データを作成するための手段と、
前記車両のキーの位置を検出する位置検出手段と、
前記位置検出手段により検出されたキーの位置に応じて、前記発振手段の起動及び動作の停止を制御する制御手段と、
を備えたことを特徴とする。
また、本発明の他のアルコール検出装置は、車両に設けられ、その車両の運転者の呼気に含まれるアルコールを検出するためのアルコール検出装置において、
前記アルコールを吸着するための吸着層がその表面に形成され、当該吸着層へのアルコールの吸着により固有振動数が変化する検出用の振動領域と、この検出用の振動領域とは異なる領域に設けられ、前記アルコールが吸着されない基準用の振動領域と、を備えた第１の水晶振動子と、
前記第１の水晶振動子の検出用の振動領域及び基準用の振動領域を各々独立して発振させるための発振手段と、
前記検出用の振動領域の発振出力に対応する周波数の時系列データを作成する手段と、
前記基準用の振動領域の発振出力に対応する周波数の時系列データを作成する手段と、
これら各時系列データに含まれる脈流部分をノイズと見なして除去するための手段と、
前記脈流部分を除去した後の各時系列データの差分値の時系列データである検証用のデータを作成する手段と、
前記車両のキーの位置を検出する位置検出手段と、
前記位置検出手段により検出されたキーの位置に応じて、前記発振手段の起動及び動作の停止を制御する制御手段と、
を備えたことを特徴とする。
【手続補正３】
【補正対象書類名】明細書
【補正対象項目名】００１０
【補正方法】変更
【補正の内容】
【００１０】
運転者以外の搭乗者の呼気に含まれるアルコールを吸着するための吸着層がその表面に形成され、当該吸着層へのアルコールの吸着により固有振動数が変化する検出用の振動領域と、この検出用の振動領域とは異なる領域に設けられ、前記アルコールが吸着されない基準用の振動領域と、を備えた第２の水晶振動子と、
前記第２の水晶振動子の検出用の振動領域及び基準用の振動領域を各々独立して発振させるための発振手段と、
前記第２の水晶振動子における検出用の振動領域の発振出力に対応する周波数と前記第２の水晶振動子における基準用の振動領域の発振出力に対応する周波数とに基づいてこれらの周波数の差分値の時系列データを作成する手段と、前記時系列データに含まれる脈流部分をノイズと見なして除去するための手段とを含む比較用のデータ作成手段と、
前記比較用のデータと前記検証用のデータとに基づいてアルコールを検出する検出手段と、
を備えていてもよい。
また、運転者以外の搭乗者の呼気に含まれるアルコールを吸着するための吸着層がその表面に形成され、当該吸着層へのアルコールの吸着により固有振動数が変化する検出用の振動領域と、この検出用の振動領域とは異なる領域に設けられ、前記アルコールが吸着されない基準用の振動領域と、を備えた第２の水晶振動子と、
前記第２の水晶振動子の検出用の振動領域及び基準用の振動領域を各々独立して発振させるための発振手段と、
前記第２の水晶振動子における前記検出用の振動領域の発振出力に対応する周波数の時系列データを作成する手段と、
前記第２の水晶振動子における前記検出用の振動領域の発振出力に対応する周波数の時系列データを作成する手段と、
前記第２の水晶振動子における前記基準用の振動領域の発振出力に対応する周波数の時系列データを作成する手段と、
これら各時系列データに含まれる脈流部分をノイズと見なして除去するための手段と、
前記脈流部分を除去した後の各時系列データの差分値の時系列データである比較用のデータを作成する手段と、
前記比較用のデータと前記検証用のデータとに基づいてアルコールを検出する検出手段と、
を備えていてもよい。